(57)【要約】【課題】簡単な構造で立てて収納することが可能なキーボードを提供すること。【解決手段】キーボード１０は、底面に設けられた細長い形状の凹部と、凹部に収納され、一端を軸に回動して凹部から起立可能なキーボード支持部材２２とを備える。凹部は、キーボード底面の前縁の左右端部近傍にそれぞれ設けられてもよい。また、収納時にキーボード支持部材２２を保持するストッパーを設けてもよい。簡単な構造で安価に製造でき、キーボードを立てて収納する操作が容易である。また、見た目も通常のキーボードとほとんど変わりない。【選択図】図２
0003110782.tif 000002
【実用新案登録請求の範囲】
【請求項１】
底面に設けられた細長い形状の凹部と、
前記凹部に収納され、一端を軸に回動して前記凹部から起立可能なキーボード支持部材と
を備えたことを特徴とするキーボード。
【請求項２】
前記凹部は、キーボード底面の前縁の左右端部近傍にそれぞれ設けられたことを特徴とする請求項１に記載のキーボード。
【請求項３】
収納時にキーボード支持部材を保持するストッパーを設けたことを備えたことを特徴とする請求項１に記載のキーボード。
【考案の詳細な説明】
【技術分野】
【０００１】
本考案は、パソコン等に接続して使用するキーボードに関するものであり、特に立てて収納することが可能なキーボードに関するものである。
【背景技術】
【０００２】
従来のパソコン等に接続して使用するキーボードにおいては、常に机上を占領してしまい、キーボードを使用しない作業を行う場合に邪魔になるという問題があった。この改善策として、下記特許文献１には、立てて収納できるキーボードが提案されている。
【特許文献１】再公表ＷＯ９７／０３９４０２号公報
【考案の開示】
【考案が解決しようとする課題】
【０００３】
上記した従来のキーボードにおいてはキーボードを立てて収納するための構造が複雑であり、部品点数も多く、見栄えもよくないという問題点があった。本考案の目的は、上記した従来の問題点を解決し、簡単な構造で立てて収納することが可能なキーボードを提供する点にある。
【課題を解決するための手段】
【０００４】
本考案のキーボードは、底面に設けられた細長い形状の凹部と、前記凹部に収納され、一端を軸に回動して前記凹部から起立可能なキーボード支持部材とを備えたことを主要な特徴とする。
また、前記したキーボードにおいて、前記凹部は、キーボード底面の前縁の左右端部近傍にそれぞれ設けられた点にも特徴がある。また、前記したキーボードにおいて、収納時にキーボード支持部材を保持するストッパーを設けた点にも特徴がある。
【考案の効果】
【０００５】
本考案のキーボードは、上記したような構成によって、簡単な構造で安価に製造でき、キーボードを立てて収納する操作が容易であるという効果がある。また、見た目も通常のキーボードとほとんど変わりないという効果もある。
【考案を実施するための最良の形態】
【０００６】
以下に、図面を参照して本考案の実施形態を説明する。
【実施例１】
【０００７】
図１は、本考案によるキーボードの第１実施例の平面図、正面図、底面図、側面図である。キーボード１０は薄い直方体であり、上面に複数のキー１１が配置されている。材質は公知のＡＢＳ等の強化プラスティックを採用可能である。なお、キーの配置は本考案の要旨ではなく、公知の任意の配置を採用可能である。背面からは図示しないパソコン等と接続するためのコード１２が延びている。底面の四隅には、すべり、がたつき防止や高さ、傾斜調整のための突起１３が設けられている。
【０００８】
キーボード１０の底面の前縁の左右端部近傍には、それぞれ本考案による孔２０が設けられている。また、孔２０の前縁側側面の一部とキーボード１０の前部側面との間を結ぶ凹部２１が設けられている。この凹部の底面は例えば円筒形の側面の形状でもよい。凹部２１は使用者が爪等を使用してキーボード支持部材２２を引き出すときに使用する。２つの孔２０の内部にはそれぞれキーボード支持部材２２が収納されている。
【０００９】
図３は、本考案のキーボードの孔２０およびキーボード支持部材２２の構成を示す平面図および断面図である。図３（ａ）は孔２０の横断面図である。キーボード１０の底面に設けられた細長い略直方体の凹部である孔２０は、内部側面に図示するような２つの半球形の凹部３０、３１を備えている。凹部３０はキーボード支持部材２２の回転軸となる突起３２が係合するためのものであり、凹部３１はキーボード支持部材２２のストッパーとなる突起３３が係合するためのものである。
【００１０】
図３（ｂ）はキーボード支持部材２２の構成を示す平面図および断面図である。凹部２０に収納され、一端を軸に回動して凹部２０から起立可能なキーボード支持部材２２は、両端が円筒形の側面形状である細長い略直方体の形状を有しており、一方の側面は開放されている。
【００１１】
キーボード支持部材２２の一方の端部および中央付近には２つの半球形の突起３２、３３が設けられており、これらの突起３２、３３は図示するように一部を残して周囲に切り込みを入れることによって形成された弾性片の端部に形成されている。図３（ｃ）は孔２０にキーボード支持部材２２を収納した状態を示す横断面図である。
【００１２】
図２は、本考案のキーボードを立てて収納する場合の操作手順を示す説明図である。キーボード１０を収納する場合には、使用者はまず凹部２１に爪等を挿入することによって底面の２つのキーボード支持部材２２を引っ掛けて引き出す。
【００１３】
すると、キーボード支持部材２２の突起３３と孔２０の凹部３１との係合が外れ、突起３２を軸としてキーボード支持部材２２が回動する。図２（ａ）はキーボード支持部材２２が引き出された状態を示している。キーボード支持部材２２は孔２０との摩擦によってこの状態を保持する。
【００１４】
使用者は、次にキーボード１０の前縁を下にして立てて収納する。図２（ｂ）はキーボード１０を立てて収納した状態を示している。キーボード１０の重心が引き出したキーボード支持部材２２のほぼ中央付近にくるようにキーボード支持部材２２の長さや底面への配置を設計する。
【００１５】
以上のような構成によって、簡単な構成でキーボード１０を立てて収納することが可能となり、見た目も通常のキーボードとほとんど変わりない。なお、キーボード支持部材２２が孔２０に収納されている状態において、底面から僅かに突出するように構成することにより、キーボード支持部材２２が滑り止め等のための突起１３を兼ねることもできる。また、このようにすれば、キーボード支持部材２２の引き出しもより容易となる。
【００１６】
図４は、本考案のキーボードの第１実施例の変形例の構造を示す底面図である。図４（ａ）はキーボード支持部材４０、４１をキーボード１０の側面近傍に設けた例である。キーボード支持部材および孔の構造は第１実施例と同じでよい。このような構成にすれば、キーボードの側面を下にして立てることができ、収納面積がより小さくても収納可能である。
【００１７】
図４（ｂ）はキーボード支持部材４２、４３をキーボード１０の背面近傍に設けた例である。このような構成にすれば、キーボードの背面面を下にして立てることができる。但し、ケーブル４４が背面から突出していると収納の邪魔になるので、例えばケーブル４４を図示するように底面から出すか、あるいは側面から出すようにする。また、キーボード支持部材４２、４３を複数の引き出し角度においてロックできるような構成を採用することにより、キーボードを傾斜させるチルト機構を兼ねることもできる。
【００１８】
以上、第１実施例を開示したが、以上の実施例においてキーボード支持部材２２をキーボード１０の底面ではなく上面（キー１１と同じ面）に設けてもよい。上面に設ければキーボード支持部材２２の引き出しや収納がより容易となる。
【実施例２】
【００１９】
図５は、本考案によるキーボードの第２実施例の構成を示す側面図である。第２実施例は、キーボード１０の両側面の前縁近傍にキーボード支持レバー５０を設けたものである。図５（ａ）はレバー５０を収納した状態であり、キーボード収納時には（ｂ）に示すように突起５２に当たるまでレバー５０を２７０度回動し、（ｃ）に示すように立てて収納する。（ｄ）は支持レバー５３を背面の近傍に設けた第２実施例の変形例である。この場合にはコード１２を底面あるいは側面から出す。
【実施例３】
【００２０】
図６は、本考案によるキーボードの第３実施例の構成を示す側面図である。第３実施例は、キーボード１０の背面を平らにして幅を広く取り、（ｃ）に示すように背面を下にして立てるようにしたものである。この場合にはコード１２を背面から出せないので、例えば図６（ｂ）に示すように背面に凹部６１を設け、その底部からコード１２を出す。あるいはコード１２を側面から出してもよい。
【実施例４】
【００２１】
図７は、本考案によるキーボードの第４実施例の構成を示す側面図である。第４実施例は、キーボード１０の上面にキーボード支持棒７１を立てて収納するものである。キーボード支持棒７１は細長い円筒形の棒であり、通常はキーボード１０の上面後端近傍に設けられた凹部７０に収納されている。
【００２２】
キーボード１０の収納時には、図７（ｂ）に示すように、キーボード支持棒７１をキーボード１０の上面後端近傍に設けられた孔７２に差し込み、（ｃ）に示すように立てて収納する。この場合にはコード１２を背面から出せないので、例えば図７（ａ）に示すように背面に凹部７３を設け、その底部からコード１２を出すか、あるいはコード１２を側面から出す。
以上、実施例を開示したが、本考案は無線キーボードにもそのまま適用可能である。
【産業上の利用可能性】
【００２３】
本考案はパソコン用のキーボードを始め、机上等において使用する平板上の任意の装置、器具にも適用できる。
【図面の簡単な説明】
【００２４】
【図１】本考案によるキーボードの第１実施例の平面図、正面図、底面図、側面図である。
【図２】本考案のキーボードを立てて収納する場合の操作手順を示す説明図である。
【図３】本考案のキーボードの孔２０およびキーボード支持部材２２の構成を示す平面図および断面図である。
【図４】本考案のキーボードの第１実施例の変形例の構造を示す底面図である。
【図５】本考案によるキーボードの第２実施例の構成を示す側面図である。
【図６】本考案によるキーボードの第３実施例の構成を示す側面図である。
【図７】本考案によるキーボードの第４実施例の構成を示す側面図である。
【符号の説明】
【００２５】
１０    キーボード
１１    キー
１２    コード
１３    突起
２０    孔
２１    凹部
２２    キーボード支持部材
【図１】
0003110782.tif 000003
【図２】
0003110782.tif 000004
【図３】
0003110782.tif 000005
【図４】
0003110782.tif 000006
【図５】
0003110782.tif 000007
【図６】
0003110782.tif 000008
【図７】
0003110782.tif 000009